(57)【要約】【課題】  インクジェットプリンタにより帳票に帳票付与イメージデータを印字すると時間を要し、帳票の搬送速度を大きくすることができない。【解決手段】  帳票コードデータ記憶部の帳票毎の帳票付与コードデータをイメージデータ変換部で帳票付与イメージデータに変換し、スキャナで取得した帳票のイメージデータと変換して得た帳票付与イメージデータとを合成部により合成し、合成イメージデータをイメージデータ記憶部に格納する。【選択図】    図１
2008217342.tif 000002
【特許請求の範囲】
【請求項１】
帳票を連続的に搬送する搬送部と、各帳票毎に付与すべき帳票付与コードデータが記憶されている帳票コードデータ記憶部と、搬送されてくる各帳票毎に帳票イメージデータを取得するスキャナとを備える帳票処理装置であって、
前記帳票コードデータ記憶部から前記帳票付与コードデータを取り込んでイメージデータに変換して帳票付与イメージデータを出力するイメージデータ変換部と、
前記スキャナで取得した前記帳票イメージデータに前記帳票付与イメージデータを合成する合成部と、
前記合成したイメージデータを格納するためのイメージデータ記憶部と、
を含むことを特徴とする帳票処理装置。
【請求項２】
前記帳票は長さ寸法が幅寸法より大きく、前記搬送部は該帳票をその長さ方向を搬送方向に一致させて搬送することを特徴とする請求項１記載の帳票処理装置。
【請求項３】
前記帳票は長さ寸法が幅寸法より大きく、前記搬送部は該帳票をその幅方向を搬送方向に一致させて搬送することを特徴とする請求項１記載の帳票処理装置。
【発明の詳細な説明】
【技術分野】
【０００１】
本発明は、伝票等の帳票からイメージデータを読み取って帳票を分類し、集積する帳票処理装置に関する。
【背景技術】
【０００２】
荷受けシステムでは、営業店において顧客から預かった品物に対し運送等のために伝票を作成し、作成した伝票はセンタに集められ、帳票処理装置により識別情報、荷受け年月日、伝票の通番等の帳票付与データが付与される。この帳票付与データはホストコンピュータへ供給され、ホストコンピュータでは運送作業者により伝票の控え等を利用して携帯端末を介して品物の現在位置や配達年月日、不在等の取扱いデータが送信されてくるので、帳票付与データに対応させて取扱いデータを荷データベースに格納する。
【０００３】
ところで、従来の帳票処理装置は、帳票を連続的に搬送し、帳票毎にインクジェットプリンタによりイメージデータ形式の帳票付与データを印字し、後段のカメラ等を含むスキャナにより印字した帳票付与イメージデータ及び帳票に記入されている文字等の帳票イメージデータを読み取り、イメージデータ記憶部に格納している。
【０００４】
従って、オペレータが帳票用ワークステーションによりホストコンピュータ側の荷データベースから取扱データ等を取り込んで、イメージデータ記憶部の対応する帳票イメージと共に表示部に表示することで、突き合せ照合を行うことができる。
【発明の開示】
【発明が解決しようとする課題】
【０００５】
上記したように従来の帳票処理装置では、図３（Ｂ）に示すように、帳票付与イメージデータをインクジェットプリンタにより帳票に印字してから該帳票の全体のイメージデータを読み取っているが、インクジェットプリンタによる印刷動作には時間を要してしまうため、帳票の処理速度（搬送速度）を増大させることは困難であった。
【０００６】
例えば、図３（Ａ）に示すように、帳票の長さ寸法が１９０ｍｍ、幅寸法が１０１ｍｍ、帳票の搬送間隔が３０ｍｍの場合に帳票を長さ方向に沿って搬送すると、従来の装置では帳票の搬送速度を３．７ｍ／ｓ（１０００枚／分）に設定するのが限界であった。
本発明の目的は、帳票の搬送速度を大きくすることができる帳票処理装置を提供することにある。
【課題を解決するための手段】
【０００７】
本発明は、上記課題を解決するため次の構成を備える。
即ち、本発明は、帳票を連続的に搬送する搬送部と、各帳票毎に付与すべき帳票付与コードデータが記憶されている帳票コードデータ記憶部と、搬送されてくる各帳票毎に帳票イメージデータを取得するスキャナとを備える帳票処理装置であって、
前記帳票コードデータ記憶部から帳票付与コードデータを取り込んでイメージデータに変換して帳票付与イメージデータを出力するイメージデータ変換部と、
スキャナで取得した帳票イメージデータに前記帳票付与イメージデータを合成する合成部と、
合成したイメージデータを格納するためのイメージデータ記憶部と、
を含むことを特徴とする。
【発明の効果】
【０００８】
本発明によれば、帳票付与イメージデータを印字に用いることなく、帳票から取得した帳票イメージデータと直接的に合成するようにしたので、印字動作による搬送速度の制限が無くなり、従って、帳票の搬送速度を増大させて帳票処理の高速化を図ることができる。
【発明を実施するための最良の形態】
【０００９】
以下、本発明の実施形態を図面を参照して説明する。
【００１０】
図１は本発明に係る帳票処理装置の全体構成図である。
この帳票処理装置は、図１に示すように、多数の帳票１が収容されているホッパ１０を備えている。これらの帳票１は複数の営業店から持ち込まれたものである。ホッパ１０内の帳票１は図示しないピックアップローラを介して１枚毎に吸着ドラム１１より吸着されて取り出される。吸着ドラム１１の周面には複数の案内ローラ１２が設けられ、帳票１は順次、これら案内ローラに案内されて搬送部１３に導かれる。搬送部１３は帳票１を吸引して移動する吸引構造を有し、これにより各帳票１を確実に搬送する。搬送部１３の後端側には羽根車１４、１４が配置されている。羽根車１４には搬送されてくる各帳票１を挟み込んで集積部１５に落とし込む。
【００１１】
搬送部１３上にはインクジェットプリンタ１６及びスキャナ１７が配置されている。インクジェットプリンタ１６は後述するように、帳票付与イメージデータの一部である通番のみを帳票１に印字する。スキャナ１７は帳票を高速撮影するためのカメラと撮影した画像を帳票イメージデータに変換して出力するデータ変換部とを含んでいる。
【００１２】
インクジェットプリンタ１６及びスキャナ１７はデータ処理部を構成する制御部１８により制御される。このデータ処理部は、帳票コードデータ記憶部１９、イメージデータ変換部２０、合成部２１及びイメージデータ記憶部２２を備えている。
【００１３】
帳票コードデータ記憶部１９には帳票毎に付与すべき帳票付与データがコードデータ形式で格納されている。各帳票付与データは帳票の識別コード、荷受け年月日、帳票の通番コードを含んでいる。
【００１４】
イメージデータ変換部２０は帳票付与データをイメージデータに変換して合成部２１に出力する。
合成部２１はイメージデータに変換された帳票付与イメージデータと、スキャナ１７から受信する帳票イメージデータとを合成し、得られた合成イメージデータを帳票の識別コードに対応させてイメージデータ記憶部２２に格納する。
【００１５】
次に、本発明に係る帳票処理装置の動作を説明する。
制御部１８の制御で吸着ドラム１１の回転速度及び搬送部１３の搬送速度が設定されると、ホッパ１０内の各帳票１が吸着ドラム１１により連続的に吸着して繰り出され、搬送部１３により設定搬送速度で吸引搬送される。
【００１６】
また、制御部１８は帳票コードデータ記憶部１９から帳票付与データを取り込むと共に該データをイメージデータ変換部２０に出力させる。そして、制御部１８は帳票付与データから識別コードを抽出して合成部２１に供給すると共に、イメージデータ変換部２０で通番コードが通番イメージデータに変換されると該通番イメージデータをインクジェットプリンタ１６に供給する。
【００１７】
従って、帳票１がインクジェットプリンタ１６の下を通過する際には該プリンタ１６により通番、例えば、「００３」のみが印字される。
引き続き帳票１が搬送され、スキャナ１７の下を通過すると、該スキャナ１７は帳票１の記入文字を帳票イメージとして取得する。
【００１８】
そして、スキャナ１７は取得した帳票イメージデータを合成部２１に供給する。合成部２１はイメージデータ変換部２０から帳票付与イメージデータを受信しているので、該帳票付与イメージデータと帳票イメージデータを合成し、イメージデータ記憶部２２に識別コードと対応させて合成イメージデータを格納する。
【００１９】
以下、搬送される全ての帳票に対し合成イメージデータを生成して格納する。イメージデータ記憶部２２の帳票毎の合成イメージデータは、図示しないワークステーションにより識別コードを検索子として取り込まれ、ホストコンピュータ（荷データベース）の取扱いデータと共に集計等に利用される。
【００２０】
ところで、上記したように、帳票付与イメージデータを、その一部（通番）をインクジェットプリンタ１６の印字に用いるだけで、直接的に帳票イメージデータと合成するので、帳票の搬送速度を大幅に増大させることができる。
【００２１】
即ち、帳票（長さ寸法１９０ｍｍ、幅寸法１０１ｍｍ）を間隔３０ｍｍで長手方向を搬送方向に一致させて搬送した場合、搬送速度を４．４ｍ／ｓ（１２００枚／分）に設定することができた。
【００２２】
また、上記寸法の帳票を図２（Ａ）に示すように、幅方向を搬送方向に一致させて搬送し、それぞれ搬送速度を２．２ｍ／ｓ（１０００枚／分）、２．６ｍ／ｓ（１２００枚／分）、３．５ｍ／ｓ（１６００枚／分）、４．４ｍ／ｓ（２０００枚／分）に設定したところ、いずれも正確に合成イメージデータを得ることができた。尚、この場合、図２（Ｂ）に示すように、各帳票と対応させるために通番「００３」等を仮位置に印字した。
【００２３】
また、インクジェットプリンタ１６により通番のみを印字するので、インクの消費量が抑制され、経済的であった。
【００２４】
尚、本発明の場合、インクジェットプリンタ１６を用いなくてもよい。この場合、帳票搬送順番を正確に検出しながら帳票を搬送することにより、帳票デ−タとイメ−ジデ−タとを正確に合致させることができ、合成イメ−ジデ−タを作成することが可能となる。
【図面の簡単な説明】
【００２５】
【図１】本発明に係る帳票処理装置の全体構成図である。
【図２】（Ａ）、（Ｂ）は帳票を幅方向に搬送する例の説明図である。
【図３】（Ａ）、（Ｂ）は従来の搬送側を示す説明図である。
【符号の説明】
【００２６】
１  帳票
１６  インクジェットプリンタ
１７  スキャナ
１９  帳票コードデータ記憶部
２０  イメージデータ変換部
２１  合成部
２２  イメージデータ記憶部
【図１】
2008217342.tif 000003
【図２】
2008217342.tif 000004
【図３】
2008217342.tif 000005